(57)【要約】      （修正有）【課題】横形で使用し、且つ片手で操作できる携帯電話機を提供する。【解決手段】横形に位置した表示盤と同じく横形にした操作盤を蝶番で結接して一体とするか、横形に位置した操作盤の一部に表示画面を横形にして装着するか、又横位置にした操作盤上に表示盤を横形にスライド開閉出来る如く重合する等により、表示盤と操作盤を一体とした横形の携帯電話機を形成し、その操作キーの配列を、片手で機体を保持した利き手側に片寄せし、縦位置に配列して機体を保持しながら親指で片手操作が出来る如く装着する。【選択図】図１
0003148220.tif 000002
【実用新案登録請求の範囲】
【請求項１】
横形に位置した表示盤と、同じく横位置にした操作盤とを組合わせ一体とした携帯電話機に於いて、操作盤の操作キーの配列を、片手で筐体を保持した利き手側に片寄せし、片手で入力し得る如く縦向きに配列した携帯電話機。
【考案の詳細な説明】
【技術分野】
【０００１】  本考案は、表示画面を横形にて使用し、且つ片手操作を可能とする携帯電話機に関するものである。
【背景技術】
【０００２】  現在携帯電話機の主流は片手で握れる範囲の棒状の筐体を縦位置にして使用し、表示画面も縦位置で使用している。しかし近年の技術進歩により、テレビ画面や、動画、ゲームなど横画面で見る必要にせまられて、表示盤だけを二回転動作で横形にする機器が造られたが、そのままメールに対応出来ない物や、その度に二回転動作や復帰を繰り返す手間を必要とし実用的に無理な点が多い。又横表示画面とパソコンと同じフルキーボードを連結した機器も見られるが、入力には定置させて両手で入力する必要があり、移動しながら片手で操作が出来る携帯電話機の主たる機能を満たす事は出来ないものである。
【考案の開示】
【考案が解決しようとする課題】
【０００３】  前記の如く現状の不便を解決し、最初から横表示画面と横形操作盤とを組合わせて一体とし、しかも片手で筐体を握り入力操作を可能とする事を目的とする。
【課題を解決するための手段】
【０００４】  横形に位置した表示面盤と、同じく横形に位置した操作盤とを組合わせて一体とする事で、横向きの表示画面に横長の外形の携帯電話機を形成し、操作盤上の操作キーの配列には、片手で筐体を保持した利き手側に操作キーを片寄せし、且つ親指で操作が可能な如く操作キーを縦向きに配列する事により、機体を横向きに片手で保持し、表示画面を横形に見ながら、片寄せされた操作キーを片手操作する事が可能となるものである。
【考案の効果】
【０００５】  前述の如く今後の携帯電話機には、テレビ、映画、動画、ゲーム等横形画面での使用が必須条件であるにもかかわらず、現状においては縦形使用を主流とし、縦形のまま画面だけを無理に二動作で横向きに回転させるか、両手で操作を必要とし片手操作の機能を持たないものなどのみの現況において、本考案の携帯電話機は、本体そのままが初めから横形の位置で、複雑な回転等の動作することなく、しかも片手で機体を保持しながら親指入力により横画面を実現出来る事は、早くからユーザーが希求しながら存在しなかった横形大画面の携帯電話機を本考案によって可能とする効果は絶大である。
【考案を実施するための最良の形態】
【０００６】  横形に位置した表示盤と同じく横形にした操作盤を蝶番で結接して一体とするか、横形に位置した操作盤の一部に表示画面を横形にして装着するか、又横位置にした操作盤上に表示盤を横形にスライド開閉出来る如く重合する等により、表示盤と操作盤を一体とした横形の携帯電話機を形成し、その操作キーの配列を、片手で機体を保持した利き手側に片寄せし、縦位置に配列して機体を保持しながら親指で片手操作が出来る如く装着する。
【実施例】
【０００７】  以下図面に従って実施例を説明する。表示画面１を装着する表示盤２と操作キー３を装着する操作盤４を組合わせて一体とするに、［図１］にては、蝶番５によって横平行に結着する場合と、［図２］に示す様に、操作盤４の上にスライドにより開閉可能なる如く表示盤２を重合する場合と、［図３］の如く、操作盤４上に直接表示画面１を装着する場合等が想定されるが、いずれの場合も表示画面１と操作盤４は横形とし、操作盤４上に装着される操作キー３は、［図３］に表示する如く機体を保持する利き手側に片寄せられて、機体を片手保持しながら親指にて操作し易く縦位置に配列される。
【図面の簡単な説明】
【０００８】
【図１】表示盤と操作盤を蝶番にて結着した場合の平面図と側面図
【図２】表示盤を操作盤上にスライドを可能にして重合した場合の平面図と側面図
【図３】表示画面を直接操作盤上に装着した場合の実態図
【符号の説明】
【０００９】１  表示画面
２  表示盤
３  操作キー
４  操作盤
５  蝶番
【図１】
0003148220.tif 000003
【図２】
0003148220.tif 000004
【図３】
0003148220.tif 000005
【手続補正書】
【提出日】平成20年7月10日(2008.7.10)
【手続補正１】
【補正対象書類名】実用新案登録請求の範囲
【補正対象項目名】全文
【補正方法】変更
【補正の内容】
【実用新案登録請求の範囲】
【請求項１】
横形に位置した表示盤と、同じく横位置にした操作盤とを組合わせ一体とした携帯電話機に於いて、操作盤の操作キーの配列を、片手で筐体を保持した利き手側に片寄せし、片手で入力し得る如く縦向きに配列した携帯電話機。
【請求項２】
［請求項１］に述べられた如く、操作盤上の操作キーの配列を利手側に片寄せした事により、その操作キーの横に空いた操作盤上の空間に第２の表示画面を設置し、表示盤上の表示画面をメイン表示部とし、操作盤上の第２の表示画面をサブ表示部として構成する携帯電話機。
【手続補正２】
【補正対象書類名】明細書
【補正対象項目名】全文
【補正方法】変更
【補正の内容】
【考案の詳細な説明】
【技術分野】
【０００１】      本考案は、表示画面を横形にて使用し、且つ片手操作を可能とする携帯電話機に関するものである。
【背景技術】
【０００２】      現在携帯電話機の主流は片手で握れる範囲の棒状の筐体を縦位置にして使用し、表示画面も縦位置で使用している。しかし近年の技術進歩により、テレビ画面や、動画、ゲームなど横画面で見る必要にせまられて、表示盤だけを二回転動作で横形にする機器が造られたが、そのままメールに対応出来ない物や、その度に二回転動作や復帰を繰り返す手間を必要とし実用的に無理な点が多い。又横表示画面とパソコンと同じフルキーボードを連結した機器も見られるが、入力には定置させて両手で入力する必要があり、移動しながら片手で操作が出来る携帯電話機の主たる機能を満たす事は出来ないものである。
【考案の開示】
【考案が解決しようとする課題】
【０００３】      前記の如く現状の不便を解決し、最初から横表示画面と横形操作盤とを組合わせて一体とし、しかも片手で筐体を握り入力操作を可能とする事を目的とする。
【課題を解決するための手段】
【０００４】      横形に位置した表示盤と、同じく横形に位置した操作盤とを組合わせて一体とする事で、横向きの表示画面に横長の外形の携帯電話機を形成し、操作盤上の操作キーの配列には、片手で筐体を保持した利き手側に操作キーを片寄せし、且つ親指で操作が可能な如く操作キーを縦向きに配列する事により、筐体を横向きに片手で保持し、表示画面を横形に見ながら、片寄せされた操作キーを片手操作する事が可能となるものである。
【考案の効果】
【０００５】      前述の如く今後の携帯電話機には、テレビ、映画、動画、ゲーム等横形画面での使用が必須条件であるにもかかわらず、現状においては縦形使用を主流とし、縦形のまま画面だけを無理に二動作で横向きに回転させるか、両手で操作を必要とし片手操作の機能を持たないものなどのみの現況において、本考案の携帯電話機は、本体そのままが初めから横形の位置で、複雑な回転等の動作することなく、しかも片手で筐体を保持しながら親指入力により横画面を実現出来る事は、早くからユーザーが希求しながら存在しなかった横形大画面の携帯電話機を本考案によって可能とする効果は絶大である。
【考案を実施するための最良の形態】
【０００６】      横形に位置した表示盤と同じく横形にした操作盤を蝶番で結着して一体とするか、横形に位置した操作盤の一部に表示画面を横形にして装着するか、又横位置にした操作盤上に表示盤をスライド開閉出来る如く重合する等により、表示盤と操作盤を一体とした横形の携帯電話機を形成し、その操作キーの配列を、片手で筐体を保持した利き手側に片寄せし、縦位置に配列して筐体を保持しながら親指で片手操作が出来る如く装着する。
【実施例】
【０００７】      以下図面に従って実施例を説明する。表示画面１を装着する表示盤２と操作キー３を装着する操作盤４を組合わせて一体とするに、［図１］にては、蝶番５によって横平行に結着する場合と、［図２］に示す様に、操作盤４の上にスライドにより開閉可能なる如く表示盤２を重合する場合と、［図３］の如く、操作盤４上に直接表示画面１を装着する場合等が想定されるが、いずれの場合も表示画面１と操作盤４は横形とし、操作盤４上に装着される操作キー３は、［図３］に表示する如く筐体を保持する利き手側に片寄せられて、筐体を片手保持しながら親指にて操作し易く縦位置に配列される。【０００８】更に［図１］の場合の様に、表示盤２と操作盤４が横平行に結着される時は、操作盤４上の操作キー３を利手側に片寄せする事によりその横に充分の空間が出来る。そこに第２の表示画面６を設置し、表示盤２上の表示画面１をメイン表示部とし操作盤４上の第２の表示画面６をサブ表示部とする事で、２つの画面を同時に活用し、メインの画像をそのまま見ながらサブ画面上で各種のメニューやメールをサブ画面上で操作出来る事は今までになかった大きな効果が得られるものである。
【図面の簡単な説明】
【０００９】
【図１】表示盤と操作盤を蝶番にて結着した場合の平面図と側面図
【図２】表示盤を操作盤上にスライドを可能にして重合した場合の平面図と側面図
【図３】表示画面を直接操作盤上に装着した場合の実態図
【符号の説明】
【００１０】      １  表示盤上に設置された表示画面
２  表示盤
３  操作キー
４  操作盤
５  蝶番
６  操作盤上に設置された表示画面
【手続補正３】
【補正対象書類名】図面
【補正対象項目名】図１
【補正方法】変更
【補正の内容】
【図１】
0003148220.tif 000006
【手続補正書】
【提出日】平成20年9月9日(2008.9.9)
【手続補正１】
【補正対象書類名】実用新案登録請求の範囲
【補正対象項目名】全文
【補正方法】変更
【補正の内容】
【実用新案登録請求の範囲】
【請求項１】
横形に位置した表示盤と、同じく横位置にした操作盤とを組合わせ一体とした携帯電話機に於いて、操作盤の操作キーの配列を、片手で筐体を保持した利き手側に片寄せし、片手で入力し得る如く操作キーを縦向きに配列した携帯電話機。
【請求項２】
請求項１に記載の携帯電話機において、横形に位置した表示盤と、同じく横位置にした操作盤とを組合わせ一体とし、操作盤上のキーの配列を、片手で筐体を保持した利き手側に片寄せする事により、その操作キーの横に空間が出来る。その空間に第２の表示画面を設置し、表示盤上の表示画面をメイン表示部とし、操作盤上の第２の表示画面をサブ表示部として構成する携帯電話機。
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
横型に位置した表示盤と、同じく横位置にした操作盤とを組合わせ一体とした携帯電話機に於いて、操作盤の操作キーの配列を、片手で筐体を保持した利き手側に片寄せし、片手で入力し得る如く操作キーを縦向きに配列した携帯電話機。
【請求項２】
請求項１に記載の携帯電話機に於いて、横型に位置した表示盤と、同じく横位置にした操作盤とを組合わせ一体とし、操作盤上のキーの配列を、片手で筐体を保持した利き手側に片寄せする事により、その操作キーの横に出来た空間に第２の表示画面を設置し、表示盤上の表示画面をメイン表示部とし、操作盤上の第２の表示画面をサブ表示部として構成する携帯電話機。